(57)【要約】【課題】保管中に、マスカラがヒーターの熱により劣化するおそれがないマスカラ塗布およびヒーター機構付きまつ毛カーラー兼用マスカラツールを提供する。【解決手段】マスカラツール１０は、マスカラ収容部１２とキャップ部１４を備え、キャップ部１４の突設部２０にヒーター機構付きまつ毛カーラー用エリア３６となるヒーター内蔵部２２を有する。ヒーター内蔵部２２の表面に溝部２２−２が形成され、スリット３４が形成されたカバー部材３０でヒーター内蔵部２２がカバーされる。カバー部材３０の他の側面にマスカラ塗布用エリア３８が形成される。マスカラツール１０は、ヒーター内蔵部２２の溝部２２−２を切り替え可能にスリット３４から露出しおよびカバー部材３０の本体部分で被覆する被覆および露出切り替え機構と、ヒーター内蔵部２２の溝部２２−２が露出した状態でマスカラ収容部１２に進入することを防止する誤進入防止機構を備える。【選択図】図１
2013055972.tif 000002
【特許請求の範囲】
【請求項１】
マスカラを収容し、開口端近傍の内壁に弾性しごき部材が設けられるマスカラ収容部と、把持部および該把持部に段差状に突設される突設部を有し、該突設部を該マスカラ収容部に挿入することにより該把持部が該マスカラ収容部を閉塞することができるキャップ部を備え、該突設部が、該マスカラ収容部から抜き出した状態でマスカラをまつ毛に塗布するためのマスカラ塗布用エリアおよび電熱ヒーターが内蔵され、表面の軸線方向に所定のピッチで複数の溝部が形成されるヒーター内蔵部および該ヒーター内蔵部の該溝部を被覆および一部または全部露出可能に覆うカバー部を有し、該溝部を露出した状態で該ヒーター内蔵部を当ててまつ毛をカールするためのヒーター機構付きまつ毛カーラー用エリアを有する、マスカラ塗布およびヒーター機構付きまつ毛カーラー兼用マスカラツールであって、
該把持部が該マスカラ収容部を閉塞する保管状態において該カバー部により該ヒーター内蔵部の該溝部が被覆され、該把持部を該マスカラ収容部から抜き出すヒーター機構付きまつ毛カーラーとしての使用状態において該カバー部より該ヒーター内蔵部の該溝部を一部または全部露出する被覆および露出切り替え機構を有することを特徴とするマスカラ塗布およびヒーター機構付きまつ毛カーラー兼用マスカラツール。
【請求項２】
前記突設部が、電熱ヒーターが内蔵されるヒーター内蔵部を先端近傍に備える棒状部材と、前記棒状部材を摺接、外嵌するカバー部材で構成され、該ヒーター内蔵部の表面の軸線方向に所定のピッチで複数の溝部が形成され、該カバー部材の一外側面にマスカラ塗布用エリアが形成されるとともに他の外側面に軸線方向と直交するスリットが軸線方向に該溝部と同じピッチで複数形成され、
前記被覆および露出切り替え機構が、アクチュエータにより該カバー部材またはヒーター内蔵部が相手に対して相対的に軸線方向にスリット１つ分スライドして該ヒーター内蔵部の該溝部を切り替え可能に該スリットから露出しおよび該カバー部材の本体部分で被覆するように構成されることを特徴とする請求項１記載のマスカラ塗布およびヒーター機構付きまつ毛カーラー兼用マスカラツール。
【請求項３】
前記棒状部材の先端に段差状に大径部が設けられるとともに、該棒状部材の後端が前記電熱ヒーターの電源スイッチに係合し、
所定の力を加えて該電源スイッチをオンすることにより前記ヒーター内蔵部が前記カバー部材に対して軸線方向にスリット１つ分前進スライドして前記溝部を前記スリットから露出し、所定の力を加えて該電源スイッチをオフすることにより該ヒーター内蔵部が該カバー部材に対して軸線方向にスリット１つ分後退スライドして該溝部を該カバー部材の本体部分で被覆するように構成され、
該電源スイッチオンの状態のまま前記突設部を前記マスカラ収容部に挿入するとき、該大径部が前記弾性しごき部材に係合し、電源スイッチオンに要する力以上の反発応力により該棒状部材が後退して電源スイッチをオフする自動スイッチオフ機構を有することを特徴とする請求項２記載のマスカラ塗布およびヒーター機構付きまつ毛カーラー兼用マスカラツール。
【請求項４】
前記突設部が、電熱ヒーターが内蔵されるヒーター内蔵部を先端近傍に備える棒状部材と、前記棒状部材を摺接、外嵌するカバー部材で構成され、該カバー部材の一外側面にマスカラ塗布用エリアが形成され、
前記被覆および露出切り替え機構が、該カバー部材に係合され、該把持部にスライド可能に内蔵される引き出し部を備え、人の手指で該引き出し部を操作して、該ヒーター内蔵部を切り替え可能に露出および被覆するように構成されることを特徴とする請求項１記載のマスカラ塗布およびヒーター機構付きまつ毛カーラー兼用マスカラツール。
【請求項５】
前記ヒーター内蔵部の一外側面に、後端側が該一外側面に固定され先端側が該一外側面に弾性的に当接して軸線方向と直交する方向にばね作用を有する片持ちばね状部材が設けられ、前記カバー部材から露出して先端側が起き上がった状態の該片持ちばね状部材が前記マスカラ収容部に進入する際に該マスカラ収容部の開口に当接する誤進入防止機構を有することを特徴とする請求項４記載のマスカラ塗布およびヒーター機構付きまつ毛カーラー兼用マスカラツール。
【請求項６】
前記突設部が、電熱ヒーターが内蔵されるヒーター内蔵部を先端近傍に備える棒状部材と、前記ヒーター内蔵部を摺接、外嵌する、回動可能な半割り管状カバー部材で構成され、該半割り管状カバー部材の一外側面にマスカラ塗布用エリアが形成され、
前記被覆および露出切り替え機構が、該半割り管状カバー部材を回動して該ヒーター内蔵部を切り替え可能に露出および被覆するように構成されることを特徴とする請求項１記載のマスカラ塗布およびヒーター機構付きまつ毛カーラー兼用マスカラツール。
【請求項７】
前記半割り管状カバー部材が前記ヒーター内蔵部を被覆する状態で、前記突設部が前記マスカラ収容部に進入可能な相補形状に保持され、該半割り管状カバー部材の半割り部分から該ヒーター内蔵部を露出する状態で、該突設部が前記マスカラ収容部への進入を阻止する非相補形状に保持される誤進入防止機構を有することを特徴とする請求項６記載のマスカラ塗布およびヒーター機構付きまつ毛カーラー兼用マスカラツール。
【発明の詳細な説明】
【技術分野】
【０００１】
本発明は、マスカラ塗布およびヒーター機構付きまつ毛カーラー兼用マスカラツールに関する。
【背景技術】
【０００２】
まつ毛を濃く、またカールして、目元を美しく整えるために、化粧品の一種であるマスカラをまつ毛に塗布することが行われる。
マスカラには、液体やクリームのタイプがある。マスカラの成分は、顔料、水分、増粘剤、皮膜剤等からなる。マスカラは刷毛や棒を内蔵したいわゆるオートマチック容器に充填して用いられる。
マスカラには、まつ毛を長く見せることやまつ毛をカールさせる効果があること等その他種々の性質が求められる。
【０００３】
まつ毛のカールをより確実に実現し、またカールの角度等を所望の状態とするために、マスカラをまつ毛に塗布するに先立ち、まつ毛カーラー（ビューラーあるいはカール器ともいう。）を用いてまつ毛を挟みつける等してカールさせることが行われている。
通常のまつ毛カーラーに代えて、加熱したいわゆるヒーター機構付きまつ毛カーラー（ホットビューラーともいう。）を用いることも行われている。ヒーター機構付きまつ毛カーラーは、通常のまつ毛カーラーに比べて、カールのくせ付けが長時間続く（カールキープ力）効果に優れるという効果がある。
ヒーター機構付きまつ毛カーラーには、コーム（櫛歯）タイプとアイラッシュカーラー（まつ毛を挟む）タイプがある。
【０００４】
ヒーター機構付きまつ毛カーラーでまつ毛をカールした後にまつ毛にマスカラを塗布することは、２種の化粧具を用いることになり、煩雑である。
【０００５】
これに対して、ブラシ部を先端に形成した細長い支持管を設けたキャップを、マスカラ液を貯留した筒型容器に挿したマスカラ（マスカラツール）が開示されている（特許文献１）。支持管内には通電により発熱して支持管を加熱するヒーターが装着され、スイッチで内蔵電池あるいは交流電源との接続がオンオフされる。加熱された支持管をまつ毛に当ててまつ毛がカールされ、ついで、マスカラに浸漬されたブラシ部をまつ毛に当ててまつ毛にマスカラが塗布される。
【先行技術文献】
【特許文献】
【０００６】
【特許文献１】公開実用昭和６３−１４７１１６号公報
【発明の概要】
【発明が解決しようとする課題】
【０００７】
解決しようとする問題点は、特許文献１のものは、誤ってスイッチを入れた状態で筒型容器にキャップが装着され、保管されると、筒型容器に収容されたマスカラがヒーターの熱により劣化するおそれがある点である。
【課題を解決するための手段】
【０００８】
本発明に係るマスカラ塗布およびヒーター機構付きまつ毛カーラー兼用マスカラツールは、
マスカラを収容し、開口端近傍の内壁に弾性しごき部材が設けられるマスカラ収容部と、把持部および該把持部に段差状に突設される突設部を有し、該突設部を該マスカラ収容部に挿入することにより該把持部が該マスカラ収容部を閉塞することができるキャップ部を備え、該突設部が、該マスカラ収容部から抜き出した状態でマスカラをまつ毛に塗布するためのマスカラ塗布用エリアおよび電熱ヒーターが内蔵され、表面の軸線方向に所定のピッチで複数の溝部が形成されるヒーター内蔵部および該ヒーター内蔵部の該溝部を被覆および一部または全部露出可能に覆うカバー部を有し、該溝部を露出した状態で該ヒーター内蔵部を当ててまつ毛をカールするためのヒーター機構付きまつ毛カーラー用エリアを有する、マスカラ塗布およびヒーター機構付きまつ毛カーラー兼用マスカラツールであって、
該把持部が該マスカラ収容部を閉塞する保管状態において該カバー部により該ヒーター内蔵部の該溝部が被覆され、該把持部を該マスカラ収容部から抜き出すヒーター機構付きまつ毛カーラーとしての使用状態において該カバー部より該ヒーター内蔵部の該溝部を一部または全部露出する被覆および露出切り替え機構を有することを特徴とする。
【０００９】
また、本発明に係るマスカラ塗布およびヒーター機構付きまつ毛カーラー兼用マスカラツールは、好ましくは、
前記突設部が、電熱ヒーターが内蔵されるヒーター内蔵部を先端近傍に備え、先端に段差状に大径部が設けられた棒状部材と、前記棒状部材を摺接、外嵌するカバー部材で構成され、該ヒーター内蔵部の表面の軸線方向に所定のピッチで複数の溝部が形成され、該カバー部材の一外側面にマスカラ塗布用エリアが形成されるとともに他の外側面に軸線方向と直交するスリットが軸線方向に該溝部と同じピッチで複数形成され、
前記被覆および露出切り替え機構が、アクチュエータにより該カバー部材またはヒーター内蔵部が相手に対して相対的に軸線方向にスリット１つ分スライドして該ヒーター内蔵部の該溝部を切り替え可能に該スリットから露出しおよび該カバー部材の本体部分で被覆するように構成されることを特徴とする。
【００１０】
このとき、前記棒状部材の先端に段差状に大径部が設けられるとともに、該棒状部材の後端が前記電熱ヒーターの電源スイッチに係合し、
所定の力を加えて該電源スイッチをオンすることにより前記ヒーター内蔵部が前記カバー部材に対して軸線方向にスリット１つ分前進スライドして前記溝部を前記スリットから露出し、所定の力を加えて該電源スイッチをオフすることにより該ヒーター内蔵部が該カバー部材に対して軸線方向にスリット１つ分後退スライドして該溝部を該カバー部材の本体部分で被覆するように構成され、
該電源スイッチオンの状態のまま前記突設部を前記マスカラ収容部に挿入するとき、該大径部が前記弾性しごき部材に係合し、電源スイッチオンに要する力以上の反発応力により該棒状部材が後退して電源スイッチをオフする自動スイッチオフ機構を有することが好ましい。
【００１１】
また、本発明に係るマスカラ塗布およびヒーター機構付きまつ毛カーラー兼用マスカラツールは、好ましくは、
前記突設部が、電熱ヒーターが内蔵されるヒーター内蔵部を先端近傍に備える棒状部材と、前記棒状部材を摺接、外嵌するカバー部材で構成され、該カバー部材の一外側面にマスカラ塗布用エリアが形成され、
前記被覆および露出切り替え機構が、該カバー部材に係合され、該把持部にスライド可能に内蔵される引き出し部を備え、人の手指で該引き出し部を操作して、該ヒーター内蔵部を切り替え可能に露出および被覆するように構成されることを特徴とする。
【００１２】
このとき、前記ヒーター内蔵部の一外側面に、後端側が該一外側面に固定され先端側が該一外側面に弾性的に当接して軸線方向と直交する方向にばね作用を有する片持ちばね状部材が設けられ、前記カバー部材から露出して先端側が起き上がった状態の該片持ちばね状部材が前記マスカラ収容部に進入する際に該マスカラ収容部の開口に当接する誤進入防止機構を有することが好ましい。
【００１３】
また、本発明に係るマスカラ塗布およびヒーター機構付きまつ毛カーラー兼用マスカラツールは、好ましくは、
前記突設部が、電熱ヒーターが内蔵されるヒーター内蔵部を先端近傍に備える棒状部材と、前記ヒーター内蔵部を摺接、外嵌する、回動可能な半割り管状カバー部材で構成され、該半割り管状カバー部材の一外側面にマスカラ塗布用エリアが形成され、
前記被覆および露出切り替え機構が、該半割り管状カバー部材を回動して該ヒーター内蔵部を切り替え可能に露出および被覆するように構成されることを特徴とする。
【００１４】
このとき、前記半割り管状カバー部材が前記ヒーター内蔵部を被覆する状態で、前記突設部が前記マスカラ収容部に進入可能な相補形状に保持され、該半割り管状カバー部材の半割り部分から該ヒーター内蔵部を露出する状態で、該突設部が前記マスカラ収容部への進入を阻止する非相補形状に保持される誤進入防止機構を有することが好ましい。
【発明の効果】
【００１５】
本発明に係るマスカラ塗布およびヒーター機構付きまつ毛カーラー兼用マスカラツールは、保管状態においてカバー部により電熱ヒーターを内蔵するヒーター内蔵部の溝部が被覆され、使用状態においてカバー部よりヒーター内蔵部の溝部を一部または全部露出する被覆および露出切り替え機構を有するため、誤ってスイッチを入れた状態で筒型容器にキャップが装着され、保管されても、ヒーター内蔵部をカバー部で被覆することにより、筒型容器に収容されたマスカラがヒーターの熱により劣化するおそれが小さい。また、保管中にヒーター内蔵部にマスカラが付着してヒーター機構付きまつ毛カーラーとしての使用時に適切にカールするのに支障をきたすおそれがない。
【００１６】
また、本発明に係るマスカラ塗布およびヒーター機構付きまつ毛カーラー兼用マスカラツールは、さらに、ヒーター内蔵部が露出した状態でマスカラ収容部に進入することを防止する進入防止機構、または、電熱ヒーターの電源をオフする自動スイッチオフ機構を備えると、上記マスカラの劣化防止の効果をより好適に発揮することができる。
【図面の簡単な説明】
【００１７】
【図１】図１は本実施の形態の第一の例に係るマスカラツールの保管状態または使用前の状態を示す断面図である。
【図２（Ａ）】図２（Ａ）は本実施の形態の第一の例に係るマスカラツールのヒーター内蔵部の溝部をカバー部材で被覆した状態を示す外観図である。
【図２（Ｂ）】図２（Ｂ）は本実施の形態の第一の例に係るマスカラツールのヒーター内蔵部の溝部をカバー部材でから露出した状態を示す外観図である。
【図３】図３は本実施の形態の第二の例に係るマスカラツールについて、キャップ部でマスカラ収容部を閉塞した、保管時あるいは使用前の状態を示す図である。
【図４】図４は本実施の形態の第二の例に係るマスカラツールについて、マスカラ収容部から抜き出したキャップ部の使用前の状態を示す図である。
【図５】図５は本実施の形態の第二の例に係るマスカラツールについて、使用時のキャップ部の状態を示す図である。
【図６】図６は、本実施の形態の第三の例に係るマスカラツールについて、保管時またはマスカラ塗布時のキャップ部の状態を示す図である。
【図７】図７は、本実施の形態の第三の例に係るマスカラツールについて、ホットビューラー使用時のキャップ部の状態を示す図である。
【図８】図８は、本実施の形態の第三の例に係るマスカラツールについて、被覆および露出切り替え機構の作用を説明するための図である。
【発明を実施するための形態】
【００１８】
本発明の実施の形態（以下、本実施の形態例という。）について、図を参照して、以下に説明する。
【００１９】
まず、本実施の形態例に係るマスカラ塗布およびヒーター機構付きまつ毛カーラー兼用マスカラツール（以下、これを単にマスカラツールということがある。）の基本原理について説明する。
【００２０】
マスカラツールは、マスカラ収容部とキャップ部を備える。
マスカラ収容部は、マスカラを収容する開口容器であり、開口端近傍の内壁にゴム等の材料で形成される弾性しごき部材が設けられる。
【００２１】
キャップ部は、マスカラツール保管時にマスカラ収容部を閉塞する。キャップ部は、把持部と把持部に段差状に突設される突設部を有する。
把持部は、マスカラ収容部から抜き出したキャップ部でマスカラ塗布等を行う際に手指で持つ部位である。
突設部は、マスカラ塗布等を行うための、マスカラ塗布用エリアとホットビューラー用エリアを有する。
マスカラ塗布用エリアは、例えば突設部の一外側面に櫛歯状に形成され、マスカラ収容部から抜き出して使用するときに、に付着あるいは含浸したマスカラをまつ毛に塗布するための部位である。なお、マスカラ収容部からキャップ部を抜き出すときに、マスカラ塗布用エリアに過剰に付着等したマスカラは、弾性しごき部材でしごかれ、適量まで除去される。
ヒーター機構付きまつ毛カーラー用エリア（以下、これをホットビューラー用エリアという。）は、電熱ヒーターが内蔵され、表面の軸線方向所定のピッチで複数の溝部が形成されるヒーター内蔵部と、ヒーター内蔵部の溝部を（１）被覆および（２）一部または全部露出可能に覆うカバー部を有する。ホットビューラー用エリアは、マスカラ収容部から抜き出して使用するときに、カバー部よりヒーター内蔵部の溝部を一部または全部露出した状態でヒーター内蔵部、より正確にはヒーター内蔵部の溝部を当ててまつ毛をカールするための部位である。ヒーター内蔵部の溝部は、薄肉であり、内蔵する電熱ヒーターの熱が容易に伝わって相対的に温度が高く、一方、ヒーター内蔵部の溝部が形成されていない部分（以下の説明ではこの部分を山部という。）は厚肉であるため、内蔵する電熱ヒーターの熱が伝わりにくく、表面温度が相対的に低い。
マスカラツールは、マスカラ塗布およびヒーター機構付きまつ毛カーラー（ホットビューラー）兼用であるため、刷毛や棒を内蔵したいわゆるオートマチックマスカラ容器およびホットビューラーの２種の化粧具を用いる必要がなく、保管や使用において便宜である。
【００２２】
マスカラツールは、把持部がマスカラ収容部を閉塞する保管状態においてカバー部によりヒーター内蔵部の溝部が被覆され、把持部をマスカラ収容部から抜き出すホットビューラーとしての使用状態においてカバー部よりヒーター内蔵部の溝部を一部または全部露出する被覆および露出切り替え機構（以下、これを単に、被覆および露出切り替え機構ということがある。）を有する。なお、カバー部による露出は、ホットビューラー用エリアの溝部のみであってもよく、また、溝部と山部を含むホットビューラー用エリア全体であってもよい。
被覆および露出切り替え機構は、アクチュエータで付勢される。アクチュエータは、広義には、入力されたエネルギを物理的運動に変換する機械要素をいうが、ここでは、被覆および露出切り替え機構を作動するものを指し、この場合、入力エネルギは、電気エネルギ、電磁力エネルギ、油圧エネルギ等のみでなく、人力も含む。この点は以下の例についても同様である。
【００２３】
保管状態において、ヒーター内蔵部の溝部がカバー部で必ず被覆されているため、保管中にヒーター内蔵部の溝部にマスカラが付着あるいは溜まってホットビューラーとしての使用時に適切にカールするのに支障をきたすおそれがなく、また、何らかの理由で保管中にヒーター内蔵部が加熱状態となったとしても、マスカラへの熱伝達が軽減され、マスカラの熱による品質劣化が軽減される。
一方、使用状態において、カバー部よりヒーター内蔵部の溝部を露出する場合、まつ毛をカールする際に誤って顔の他部位にホットビューラー用エリアを当てたとしても、ヒーター内蔵部の山部に保護され、ヒーター内蔵部の溝部が直接に皮膚等に触れることがない。また、後述するように、ヒーター内蔵部の表面温度、より厳密には溝部の表面温度をホットビューラーの作用を損なわない限度で低い温度、例えば６０〜８０℃程度としておくことで、ヒーター内蔵部の溝部が直接に皮膚等に瞬時触れたとしても、熱傷等のおそれはない。
【００２４】
本実施の形態例に係るマスカラツールの基本原理において、マスカラツールは、ヒーター内蔵部が露出した状態で把持部がマスカラ収容部に進入することを防止する誤進入防止機構を有することが好ましい。
ヒーター内蔵部をカバー部から露出した状態は、通常、電熱ヒーターのスイッチがオンされたままであるが、誤進入防止機構の作用により把持部がマスカラ収容部に進入することができないため、保管中に、マスカラが電熱ヒーターの熱により劣化するおそれがない。
また、本実施の形態例に係るマスカラツールの基本原理において、マスカラツールは、電熱ヒーターの電源自動オフ機構（自動スイッチオフ機構）を有することも好ましい。
使用後に保管する際に電源の切り忘れがあっても電熱ヒーターを確実にオフすることができ、また、何らかの異常によりヒーター内蔵部がカバー部から露出した状態で保管される場合においても熱によるマスカラの劣化を生じることがない。
誤進入防止機構および自動スイッチオフ機構は、いずれか一方のみを有してもよく、また、双方を有してもよい。
【００２５】
マスカラツールは、使用時に、ホットビューラー用エリアのヒーター内蔵部の表面温度が６０〜８０℃であり、マスカラ塗布用エリアの表面温度が４０℃以下程度であると、好適である。
ヒーター内蔵部の表面温度が６０℃よりも極端に低いとホットビューラーとしての効果が損なわれるおそれがあり、一方、ヒーター内蔵部の表面温度が８０℃よりも極端に高いとまつ毛等にダメージを与えるおそれがあり、また、使用後にホットビューラー用エリアをマスカラ収容部に収容した直後にホットビューラー用エリアの残熱によりマスカラ収容部に収容されたマスカラに熱変化を与えるおそれがある。また、マスカラ塗布用エリアの表面温度が４０℃よりも極端に高いと、使用後にマスカラ塗布用エリアをマスカラ収容部に収容した直後にマスカラ塗布用エリアの残熱によりマスカラ収容部に収容されたマスカラに熱変化を与えるおそれがある。
このようなホットビューラー用エリアおよびマスカラ塗布用エリアの温度条件設定は、電熱ヒーターの発熱量等のヒーター条件、ホットビューラー用エリアおよびマスカラ塗布用エリアの突設部におけるレイアウト、突設部の材料の選定および電熱ヒーターを内蔵するヒーター内蔵部の厚み等を適宜選択、決定することで実現できる。
【００２６】
つぎに、本実施の形態の第一の例に係るマスカラツールについて、図１のマスカラツールの保管状態または使用前の状態を示す断面図ならびに図２（Ａ）のヒーター内蔵部をカバー部材で被覆した状態を示す外観図および図２（Ｂ）のヒーター内蔵部をカバー部材でから露出した状態を示す外観図を参照して説明する。
【００２７】
マスカラツール１０は、マスカラ収容部１２とキャップ部１４を備える。
マスカラ収容部１２にはマスカラＡが収容される。マスカラ収容部１２の開口端近傍の内壁に、ゴム等で形成される弾性しごき部材１６が設けられる。
キャップ部１４は、把持部１８と把持部１８に段差状に突設される突設部２０を有する。図１は、突設部２０をマスカラ収容部１２に挿入して把持部１８がマスカラ収容部１２を閉塞した状態、すなわち、保管状態を示す。
【００２８】
突設部２０は、先端近傍にヒーター内蔵部２２を有する棒状部材２４を備える。参照符号３２はヒーター内蔵部２２に内蔵される電熱ヒーターを示す。ヒーター内蔵部２２の先の棒状部材２４の先端には、好ましくは段差状に大径部２６が設けられる。一方、棒状部材２４の後端にも突起２８が設けられる。棒状部材２４はカバー部材（カバー部）３０で摺接、外嵌される。カバー部材３０の後端（図１中右側部分）は把持部１８に固着される。大径部２６および弾性しごき部材１６は、電熱ヒーター３２の電源スイッチを自動的にオフする自動スイッチオフ機構を構成するが、その詳細は後述する。
ヒーター内蔵部２２は表面の軸線方向に所定のピッチで複数の溝部２２−２が形成される。溝部２２−２が形成されていない部分は山部２２−１となる。カバー部材３０の外側面には、ヒーター内蔵部２２の表面の溝部２２−２と同じピッチで軸線方向と直交するスリット３４が軸線方向に溝部２２−２と同じ数だけ形成される。ヒーター内蔵部２２とカバー部材３０が相対的にスリット３４ひとつ分スライドすることで、図２（Ａ）に示すように、カバー部材３０により溝部２２−２が被覆されるとともにスリット３４がヒーター内蔵部２２のねじの山部２２−１で閉塞され、または、図２（Ｂ）に示すように、スリット３４を介してヒーター内蔵部２２の溝部２２−２が露出する。ヒーター内蔵部２２およびカバー部材３０は、ホットビューラー用エリア３６を構成する。
カバー部材３０の他の外側面であるスリット３４の形成された側と反対側の表面に、例えば、櫛歯状のマスカラ塗布用エリア３８が形成される。
【００２９】
把持部１８と突設部２０の境目近傍にアクチュエータとしてのスライドスイッチ（電源スイッチ）４０が設けられる。スライドスイッチ４０の内部にアングル状部材４０ａが設けられる。アングル状部材４０ａは、突起２８に固着される固着部材２９に固着される。スライドスイッチ４０を手指で所定の力を加えて押しながら図１中右側にスライドすることにより、棒状部材２４が左方向にスリット３４ひとつ分スライドし、カバー部材３０からヒーター内蔵部２２の溝部２２−２が露出した図２（Ｂ）に示す状態となる。一方、スライドスイッチ４０を図１中左側にスライドすることにより、棒状部材２４が右方向にスライドし、ホットビューラー用エリア３６は図２（Ａ）に示す状態となる。
これらのアングル状部材４０ａを有するスライドスイッチ４０や突起２８は、カバー部材３０とともに、把持部１８がマスカラ収容部１２を閉塞する保管状態においてカバー部材３０によりヒーター内蔵部２２が被覆され、把持部１８をマスカラ収容部１２から抜き出すホットビューラーとしての使用状態においてカバー部材３０よりヒーター内蔵部２２を一部露出する被覆および露出切り替え機構を構成する。
ここで、被覆および露出切り替え機構は、カバー部材３０またはヒーター内蔵部２２が相手に対して相対的に軸線方向にスライドするものであれば足り、棒状部材２４に代えてカバー部材３０がスライドする構成であってもよい。
なお、図１中、参照符号４２は、電熱ヒーターの電力源となる電池を示す。ただし、電力源は電池に限定されるものではない。電熱ヒーターを構成する例えばニクロム線等の詳細構造や電気的接続構造については、説明を省略する。
【００３０】
上記のように構成される本実施の形態の第一の例に係るマスカラツール１０の作用について説明する。
【００３１】
図１に示すマスカラツール１０を保管した状態あるいは使用前の状態において、キャップ部１４の把持部１８がマスカラ収容部１２を閉塞し、マスカラＡがマスカラ収容部１２に保持される。
このとき、マスカラ塗布用エリア３８はマスカラＡに浸漬され、マスカラＡが付着しあるいは溜まる。
ホットビューラー用エリア３６は、カバー部材３０によりヒーター内蔵部２２の溝部２２−２が被覆されているため、保管中にヒーター内蔵部２２の溝部２２−２にマスカラＡが付着等してホットビューラーとしての使用時に適切にカールするのに支障をきたすおそれがなく、また、何らかの理由で保管中にヒーター内蔵部２２が加熱状態となったとしても、マスカラＡへの熱伝達が軽減される。
【００３２】
マスカラツール１０を使用するために突設部２０をマスカラ収容部１２から引き出すとき、マスカラ塗布用エリア３８が弾性しごき部材１６によってしごかれ、マスカラ塗布用エリア３８に過剰に付着等したマスカラＡは、適量まで除去される。
【００３３】
所定の力を加えてスライドスイッチ４０をスライドして、カバー部材３０よりヒーター内蔵部２２の溝部２２−２を露出するとともに電熱ヒーター３２の電源がオンされる。電源がオンされると、例えば数分間程度の時間経過によりヒーター内蔵部２２の表面温度が例えば７０℃程度まで昇温され、その温度に保持される。
ホットビューラー用エリア３６のカバー部材３０のスリット３４を介して昇温されたヒーター内蔵部２２をまつ毛に当てて、まつ毛をカールする。このとき、露出したヒーター内蔵部２２の溝部２２−２以外はカバー部材３０で被覆されているため、ヒーター内蔵部２２の溝部２２−２がまつ毛以外の顔の部位に触れることがない。
【００３４】
まつ毛をカールした後、４０℃以下の温度に保持されたマスカラ塗布用エリア３８をまつ毛に当ててマスカラＡをまつ毛に塗布する。
なお、カールとマスカラ塗布は逆順であってもよい。
【００３５】
カールとマスカラ塗布が終わると、所定の力を加えてスライドスイッチ４０をスライドして、電熱ヒーター３２の電源をオフにし、およびヒーター内蔵部２２の部分以外はカバー部材３０で被覆して、マスカラ収容部１２にキャップ部１４を戻す。
マスカラツール１０は、好ましくは、自動スイッチオフ機構を有する。スライドスイッチ４０の操作を忘れて、電熱ヒーター３２の電源をオンにしたままで、およびヒーター内蔵部２２をカバー部材３０から露出したままで、マスカラ収容部１２にキャップ部１４を戻そうとすると、大径部２６が弾性しごき部材１６に係合し、スライドスイッチ４０をオンするのに必要とする力以上の反発応力が棒状部材２４に作用し、棒状部材２４が後退してスライドスイッチ４０を自動的にオフする。その後、反発応力に打ち勝つ力を加えてキャップ部１４をマスカラ収容部１２に挿入することになる。
なお、反発応力に打ち勝つ力を加えてキャップ部１４をマスカラ収容部１２に挿入する際に露出したヒーター内蔵部２２の溝部２２−２がカバー部材３０で被覆されるように設計しておくと、自動スイッチオフ機構は同時に誤進入防止機構としても作用することになる。
【００３６】
マスカラツール１０は、ホットビューラー用エリアのカバー部材を軸線方向にスリット１つ分スライドしてヒーター内蔵部を切り替え可能にスリットから露出しおよびカバー部材の本体部分で被覆する構成である。このため、切り替えによるホットビューラー用エリアの長さ寸法の変化がほとんどなく、ホットビューラー用エリアの長さ寸法を比較的短く形成することができ、これにより、マスカラツールの全長を短くすることができる。
【００３７】
つぎに、本実施の形態の第二の例に係るマスカラツールについて、図３〜５を参照して説明する。図３はキャップ部でマスカラ収容部を閉塞した、保管時あるいは使用前の状態を示す図であり、図４は、マスカラ収容部から抜き出したキャップ部の使用前の状態を示す図であり、図５は使用時のキャップ部の状態を示す図である。
【００３８】
図３〜５に示す変形例に係るマスカラツール１０ａは、突設部と、被覆および露出切り替え機構のアクチュエータの構成がマスカラツール１０と相違する。
なお、以下の各例において、本実施の形態の第一の例に係るマスカラツール１０と同様の構成要素については、必要に応じて図示および重複する説明を省略し、各例の特徴点のみを説明する。
【００３９】
マスカラツール１０ａのキャップ部１４ａを構成する突設部２０ａは、ヒーター内蔵部２２ａを先端に有する棒状部材２４ａと棒状部材２４ａを摺接、外嵌するカバー部材３０ａで構成される。棒状部材２４ａにマスカラ塗布用エリア３８が設けられる。ヒーター内蔵部２２ａはホットビューラー用エリア３６を構成する。なお、カバー部材３０ａはホットビューラーとして作用するときの直接の構成要素ではないが、ホットビューラー用エリア３６の要素の一部ということができる。
棒状部材２４ａの後端に、径方向に突出する突起部が形成される（図示せず。）。一方、カバー部材３０ａの後端側に、軸方向に延出するスリットが形成される（図示せず。）。棒状部材２４ａの突起部はカバー部材３０ａのスリットを挿通して外筒５２に固着され、これにより、棒状部材２４ａの後端が、説明を後述する外筒５２に固着される。カバー部材３０ａが軸方向に変位しても、棒状部材２４ａの突起部は干渉することがない。
【００４０】
マスカラツール１０ａのキャップ部１４ａを構成する把持部１８ａは、内筒５０と内筒５０と摺接、外嵌する外筒５２を有する。内筒５０の先端（図３、４中左端）は、外筒５２の内部でカバー部材３０ａの後端に係止される（図示せず）。
内筒５０と外筒５２は、内筒５０および外筒５２それぞれの先端側（図４、５中左側）に設けられる、例えばノッチ機構等のロック構造により係止される。ノッチ機構は、例えば外筒５２の内面に設けられる突起または窪みと内筒５０の外面に設けられる窪みまたは突起で構成される。マスカラツール１０ａ使用時、力を加えて外筒５２に対して内筒５０を引き抜くようにスライドさせることにより、係止（ロック）状態が解除され、内筒５０の移動にともなってカバー部材３０ａが後退してその一部が外筒５２の内部に収容されるとともに、ヒーター内蔵部２２ａがカバー部材３０ａの先端側から露出する。一方、力を加えて外筒５２に対して内筒５０を押し込むようにスライドさせることにより、ノッチ機構により外筒５２に内筒５０が係止されるとともに、内筒５０の移動にともなってカバー部材３０ａが前進して外筒５２から露出し、カバー部材３０ａの先端側がヒーター内蔵部２２ａを被覆する。これらの要素が被覆および露出切り替え機構のアクチュエータを構成する。
なお、外筒５２に対して内筒５０を引き抜いた状態でも係止（ロック）されるように、内筒５０および外筒５２それぞれの後端側（図４、５中右側）にさらにロック構造を設けてもよく、また、内筒５０および外筒５２が遊びのない状態できつく摺接する場合は、これらのロック構造を省略してもよい。
【００４１】
マスカラツール１０ａは、好ましくは、ヒーター内蔵部２２ａの一外側面に、後端側が一外側面に固定され先端側（図５中、矢印Ｂで示す。）が一外側面に弾性的に当接して軸線方向と直交する方向にばね作用を有する片持ちばね状部材４８が設けられる。片持ちばね状部材４８は、説明を後述する誤進入防止機構を構成する。
【００４２】
上記のように構成される本実施の形態の第二の例に係るマスカラツール１０ａの作用について、特徴点のみ説明する。
【００４３】
マスカラツール１０ａを使用するためにマスカラ収容部１２からキャップ部１４ａを抜き出す（図４）。
ついで、外筒５２を手指で支えた状態で内筒５０を他の手指で図５中右方向に外筒５２から引き出して、ヒーター内蔵部２２ａをカバー部材３０ａから露出する。
電熱ヒーター３２の電源をオンしてヒーター内蔵部２２ａを昇温し、ホットビューラー用エリア３６でカールし、マスカラ塗布用エリア３８でマスカラを塗布する。
カールとマスカラ塗布が終わると、電熱ヒーター３２の電源をオフする。外筒５２を手指で支えた状態で内筒５０を他の手指で図５中左方向に外筒５２に押し込んで、カバー部材３０ａでヒーター内蔵部２２ａを被覆する。
マスカラツール１０ａは、好ましくは、誤進入防止機構を有する。ヒーター内蔵部２２ａをカバー部材３０ａから露出したままで、マスカラ収容部１２にキャップ部１４ａを戻そうとしても、誤進入防止機構の作用により、すなわち、ヒーター内蔵部２２ａに設けられた片持ちばね状部材４８の先端側Ｂがマスカラ収容部１２の開口端に当接し、キャップ部１４ａあるいは突設部２０ａの動きが阻止され、ヒーター内蔵部２２ａが露出した状態でマスカラ収容部１２に進入することが防止される。
【００４４】
本実施の形態の第二の例に係るマスカラツール１０ａは、アクチュエータの構成が簡易である。マスカラツール１０ａは、保管時のキャップ部１４ａの長さ寸法、言い換えればマスカラツール１０ａの全長を短くし、コンパクトにすることができる。
また、マスカラツール１０ａは、使用時、ヒーター内蔵部２２ａとカバー部材３０ａに形成されるマスカラ塗布用エリアが軸線方向に完全に離間、分離するため、マスカラの付着したマスカラ塗布用エリア３８がヒーター内蔵部２２ａの熱を受けるおそれが軽減する。
【００４５】
つぎに、本実施の形態の第三の例に係るマスカラツールについて、図６〜図８を参照して説明する。図６は保管時またはマスカラ塗布時のキャップ部の状態を示す図であり、図７はホットビューラー使用時のキャップ部の状態を示す図であり、図８は被覆および露出切り替え機構の作用を説明するための図である。
【００４６】
図６および図７に示す本実施の形態の第三の例に係るマスカラツール１０ｂは、キャップ部１４ｂの突設部２０ｂの構成と、被覆および露出切り替え機構のアクチュエータの構成がマスカラツール１０と相違するが、残余の部分はマスカラツール１０と同様の構成である。このため、同様の構成部分についての重複する説明は省略し、特徴点のみについて説明する。
突設部２０ｂは、電熱ヒーターが内蔵されるヒーター内蔵部２２ｂを先端近傍に備える棒状部材２４と、ヒーター内蔵部２２ｂを摺接、外嵌する、回動可能な半割り管状カバー部材３０ｂで構成される。半割り管状カバー部材３０ｂの外側面にマスカラ塗布用エリア３８が設けられる。半割り管状カバー部材３０ｂの回動する軸線は棒状部材２４の軸線と違えている。半割り管状カバー部材３０ｂの半割り部分は、完全な開口に限らず例えばスリット状の開口を設けた構成でもよい。
図６に示すように、半割り管状カバー部材３０ｂがヒーター内蔵部２２ｂを被覆した状態では、半割り管状カバー部材３０ｂおよびヒーター内蔵部２２ｂは棒状部材２４とほぼ同一の断面形状、外形寸法になるように設定されている。そして、この断面形状、外形寸法は、マスカラ収容部の開口からマスカラ収容部の内部に棒状部材２４を含む突設部２０ｂを収容できるように、マスカラ収容部の開口と相補形状に保持される。
一方、図７に示すように、半割り管状カバー部材３０ｂがヒーター内蔵部２２ｂを露出した状態では、半割り管状カバー部材３０ｂおよびヒーター内蔵部２２ｂの断面形状は、好ましくは、マスカラ収容部の開口と非相補形状に保持され、説明を後述する誤進入防止機構を構成する。
キャップ部１４ｂの把持部１８ｂには、回動部材５４が設けられる。回動部材５４は、内部のギア機構（図示せず。）を通じて棒状部材２４と連結する。棒状部材２４は、管状カバー３０ｂと偏心カム溝（図示せず。）で連結する。図８に示すように、回動部材５４を回動させると、棒状部材２４が回動し、管状カバーが偏心回動し、ヒーター内蔵部２２ｂが露出する。これにより、手指で回動部材５４を回動することにより、半割り管状カバー部材３０ｂを回動して半割り管状カバー部材３０ｂがヒーター内蔵部２２ｂを被覆した状態と半割り管状カバー部材３０ｂからヒーター内蔵部２２ｂが露出した状態を切り替えることができる。すなわち、これらの各要素は被覆および露出切り替え機構およびこれを作用させるアクチュエータを構成する。
【００４７】
マスカラツール１０ｂは、好ましくは、誤進入防止機構を有する。半割り管状カバー部材３０ｂがヒーター内蔵部２２ｂを露出した状態では、半割り管状カバー部材３０ｂおよびヒーター内蔵部２２ｂの断面形状は、マスカラ収容部の開口と非相補形状に保持されるため、マスカラ収容部の開口からマスカラ収容部の内部に棒状部材２４を含む突設部２０ｂを収容することができない。
【００４８】
マスカラツール１０ｂは、切り替え可能にヒーター内蔵部２２ｂを半割り管状カバー部材３０ｂから露出しおよび被覆するときのホットビューラー用エリアの長さに変動がなく、突設部２０ｂの長さ、さらにはマスカラツール１０ｃの全長を比較的短くすることができる。
また、マスカラツール１０ｂは、ホットビューラー使用時の状態（図８）においてヒーター内蔵部２２ｂと半割り管状カバー部材３０ａに設けられたマスカラ塗布用エリア３８が離間し、さらに両者の間に空気層が介在するため、ヒーター内蔵部２２ｂの熱によってマスカラ塗布用エリア３８が過熱することが抑制される。
【符号の説明】
【００４９】
１０、１０ａ、１０ｂ  マスカラツール
１２  マスカラ収容部
１４、１４ａ、１４ｂ  キャップ部
１６  弾性しごき部材
１８、１８ａ  把持部
２０、２０ａ、２０ｂ  突設部
２２、２２ａ、２２ｂ  ヒーター内蔵部
２２−１  山部
２２−２  溝部
２４、２４ａ  棒状部材
２４ａ−１  段差状拡大部
２６  大径部
２８  突起
２９  固着部材
３０、３０ａ、３０ｂ  カバー部材
３２  電熱ヒーター
３６  ホットビューラー用エリア
３８  マスカラ塗布用エリア
４０  スライドスイッチ
４０ａ  アングル状部材
４８  片持ちばね状部材
５０  内筒
５２  外筒
【図１】
2013055972.tif 000003
【図２（Ａ）】
2013055972.tif 000004
【図２（Ｂ）】
2013055972.tif 000005
【図３】
2013055972.tif 000006
【図４】
2013055972.tif 000007
【図５】
2013055972.tif 000008
【図６】
2013055972.tif 000009
【図７】
2013055972.tif 000010
【図８】
2013055972.tif 000011